(57)【要約】【課題】  携帯電話充電装置のコネクタの提供。【解決手段】  携帯電話充電装置内の一対の円柱形接続端と接続され、絶縁ケースと、該絶縁ケース内に収容された一対の第２導電端子を包含する。該第２導電端子は基板を具え、基板に第１側板が上に突出するよう形成され、第１側板が下向きに折り曲げられて第２側板が形成され、第１側板と第２側板が共同でフレキシブル挟持部を形成し、上述の円柱形接続端が水平に該フレキシブル挟持部内に挿入され、上述の第１及び第２側板内壁にそれぞれ第１凸胞と第２凸胞が形成され、第１側板の第１凸胞が円柱形接続端の上向きの運動をブロックし、第２側板の第２凸胞が内向きに円柱形接続端を押圧し、これにより円柱形接続端が強固に第２導電端子内に挟持されることを特徴とする。【選択図】        図４
0003114663.tif 000002
【実用新案登録請求の範囲】
【請求項１】
携帯電話充電装置のコネクタにおいて、該携帯電話充電装置のコネクタは携帯電話充電装置内の一対の円柱形接続端と接続され、該携帯電話充電装置のコネクタは、
縦向きに貫通する一対の端子溝を具えた絶縁ケースと、
一対の第２導電端子であって、絶縁ケースの端子溝内に収容され、各第２導電端子が基板を具え、該基板に上向きに突出するように第１側板が形成され、第１側板が下向きに折り曲げられて第２側板が形成され、第１側板と第２側板が共同でフレキシブル挟持部を形成し、該円柱形接続端が水平に該フレキシブル挟持部内に挿入され、第１側板と第２側板の内壁にそれぞれ第１凸胞と第２凸胞が形成され、第１側板の第１凸胞が円柱形接続端の上向きの運動をブロックし、第２側板の第２凸胞が内向きに円柱形接続端を押圧する、上記一対の第２導電端子と、
を包含したことを特徴とする、携帯電話充電装置のコネクタ。
【請求項２】
請求項１記載の携帯電話充電装置のコネクタにおいて、第１凸胞と第２凸胞が水平に延伸され且つ断面が円弧形とされ、円柱形接続端が第１凸胞の円弧面底部と接触し、第２凸胞の円弧面下部と接触することを特徴とする、携帯電話充電装置のコネクタ。
【請求項３】
請求項２記載の携帯電話充電装置のコネクタにおいて、第１側板の第１凸胞と第２側板の第２凸胞のサイズが同じで且つ第１凸胞の位置が第２凸胞の位置より高いことを特徴とする、携帯電話充電装置のコネクタ。
【請求項４】
請求項１記載の携帯電話充電装置のコネクタにおいて、基板がＬ形を呈し、横向き部と縦向き部が形成され、上述のフレキシブル挟持部が該横向き部の末端に位置することを特徴とする、携帯電話充電装置のコネクタ。
【請求項５】
請求項１記載の携帯電話充電装置のコネクタにおいて、基板がフレキシブル挟持部の中線を中軸として後方に延伸されて案内板が形成され、該案内板の両側の基板に接近する部分が上向きに延伸され並びに内向きに折り曲げられて断面が円弧形を呈するフレキシブルアームが形成され、該フレキシブルアームが上述の案内板と共同で略Ｏ形を呈して上部が開口とされる案内管を形成し、該案内管が円柱形接続端の挿入を案内し、案内管の二つのフレキシブルアームが円柱形接続端を挟持及び固定することを特徴とする、携帯電話充電装置のコネクタ。
【請求項６】
請求項１記載の携帯電話充電装置のコネクタにおいて、保持部を更に包含し、該保持部は水平板を具え、水平板の一側が下向きに延伸されて鉛直板が形成され、そのうち、水平板が切削されて下向きのサスペンションアーム式弾性片が形成され、絶縁ケースがキャビティーを包含し、キャビティーに上向きに凹むように外界と連通する圧接溝が形成され、サスペンションアーム式弾性片が圧接溝部分においてキャビティー内に進入し、対応するコネクタに圧接することを特徴とする、携帯電話充電装置のコネクタ。
【考案の詳細な説明】
【技術分野】
【０００１】
本考案は一種のコネクタに係り、特に、携帯電話充電装置に用いられるコネクタに関する。
【背景技術】
【０００２】
特許文献１には一種の携帯電話充電装置が記載され、それは内部に一対の第１導電端子と一つのコネクタを具えている。そのうち第１導電端子は円柱形接続端を具え、該コネクタの内部に一対の第２導電端子が収容され、該第２導電端子は第１導電端子の円柱形接続端が挿入される端子孔を具え、これにより第１導電端子と第２導電端子間の電気的導通が達成される。
【０００３】
上述の第１導電端子を第２導電端子の端子孔に挿入する設計は、端子孔内に保持構造が欠如しているため、第１導電端子が端子孔内で位置ずれを発生し、安定して端子孔内に接続されず、これにより第１導電端子と第２導電端子間に安定し信頼できる電気的接続が達成されず、充電効果に影響が生じる。
【０００４】
【特許文献１】特開２００４−３２０８４３号明細書
【考案の開示】
【考案が解決しようとする課題】
【０００５】
本考案の主要な目的は、一種の携帯電話充電装置のコネクタを提供することにあり、それは携帯電話充電装置内の一対の円柱形接続端と接続され、絶縁ケースと絶縁ケース内部に収容された一対の第２導電端子を包含する。該第２導電端子は基板を具え、該基板に上向きに突出するよう第１側板が形成され、第１側板が下向きに折り曲げられて第２側板が形成され、第１側板と第２側板が共同でフレキシブル挟持部を形成し、上述の円柱形接続端が水平に該フレキシブル挟持部内に挿入され、上述の第１及び第２側板内壁にそれぞれ第１凸胞と第２凸胞が形成され、第１側板の第１凸胞が円柱形接続端の上向きの運動をブロックし、第２側板の第２凸胞が内向きに円柱形接続端を押圧し、これにより円柱形接続端が強固に第２導電端子内に挟持され、これにより円柱形接続端と第２導電端子間の安定し、信頼できる電気的接続が実現される。
【０００６】
本考案の別の目的は一種の携帯電話充電装置のコネクタを提供することにあり、それは、該基板が逆Ｖ形挟持部の中線を中軸として後方に延伸されて案内板が形成され、案内板の両側の基板に接近する部分がそれぞれ上向きに延伸され並びに内向きに折り曲げられて、断面が円弧形を呈するフレキシブルアームが形成されている。フレキシブルアームと案内板が共同でほぼＯ形を呈し且つ上部が開口とされた案内管を形成し、案内管が円柱形接続端の挿入を案内する。案内管の二つのフレキシブルアームにより円柱形接続端が案内管内にロックされ、これにより円柱形接続端が第２導電端子内に強固に保持される。
【課題を解決するための手段】
【０００７】
請求項１の考案は、携帯電話充電装置のコネクタにおいて、該携帯電話充電装置のコネクタは携帯電話充電装置内の一対の円柱形接続端と接続され、該携帯電話充電装置のコネクタは、
縦向きに貫通する一対の端子溝を具えた絶縁ケースと、
一対の第２導電端子であって、絶縁ケースの端子溝内に収容され、各第２導電端子が基板を具え、該基板に上向きに突出するように第１側板が形成され、第１側板が下向きに折り曲げられて第２側板が形成され、第１側板と第２側板が共同でフレキシブル挟持部を形成し、該円柱形接続端が水平に該フレキシブル挟持部内に挿入され、第１側板と第２側板の内壁にそれぞれ第１凸胞と第２凸胞が形成され、第１側板の第１凸胞が円柱形接続端の上向きの運動をブロックし、第２側板の第２凸胞が内向きに円柱形接続端を押圧する、上記一対の第２導電端子と、
を包含したことを特徴とする、携帯電話充電装置のコネクタとしている。
請求項２の考案は、請求項１記載の携帯電話充電装置のコネクタにおいて、第１凸胞と第２凸胞が水平に延伸され且つ断面が円弧形とされ、円柱形接続端が第１凸胞の円弧面底部と接触し、第２凸胞の円弧面下部と接触することを特徴とする、携帯電話充電装置のコネクタとしている。
請求項３の考案は、請求項２記載の携帯電話充電装置のコネクタにおいて、第１側板の第１凸胞と第２側板の第２凸胞のサイズが同じで且つ第１凸胞の位置が第２凸胞の位置より高いことを特徴とする、携帯電話充電装置のコネクタとしている。
請求項４の考案は、請求項１記載の携帯電話充電装置のコネクタにおいて、基板がＬ形を呈し、横向き部と縦向き部が形成され、上述のフレキシブル挟持部が該横向き部の末端に位置することを特徴とする、携帯電話充電装置のコネクタとしている。
請求項５の考案は、請求項１記載の携帯電話充電装置のコネクタにおいて、基板がフレキシブル挟持部の中線を中軸として後方に延伸されて案内板が形成され、該案内板の両側の基板に接近する部分が上向きに延伸され並びに内向きに折り曲げられて断面が円弧形を呈するフレキシブルアームが形成され、該フレキシブルアームが上述の案内板と共同で略Ｏ形を呈して上部が開口とされる案内管を形成し、該案内管が円柱形接続端の挿入を案内し、案内管の二つのフレキシブルアームが円柱形接続端を挟持及び固定することを特徴とする、携帯電話充電装置のコネクタとしている。
請求項６の考案は、請求項１記載の携帯電話充電装置のコネクタにおいて、保持部を更に包含し、該保持部は水平板を具え、水平板の一側が下向きに延伸されて鉛直板が形成され、そのうち、水平板が切削されて下向きのサスペンションアーム式弾性片が形成され、絶縁ケースがキャビティーを包含し、キャビティーに上向きに凹むように外界と連通する圧接溝が形成され、サスペンションアーム式弾性片が圧接溝部分においてキャビティー内に進入し、対応するコネクタに圧接することを特徴とする、携帯電話充電装置のコネクタとしている。
【考案の効果】
【０００８】
本考案は、一種の携帯電話充電装置のコネクタを提供し、それは携帯電話充電装置内の一対の円柱形接続端と接続され、絶縁ケースと絶縁ケース内部に収容された一対の第２導電端子を包含する。該第２導電端子は基板を具え、該基板に上向きに突出するよう第１側板が形成され、第１側板が下向きに折り曲げられて第２側板が形成され、第１側板と第２側板が共同でフレキシブル挟持部を形成し、上述の円柱形接続端が水平に該フレキシブル挟持部内に挿入され、上述の第１及び第２側板内壁にそれぞれ第１凸胞と第２凸胞が形成され、第１側板の第１凸胞が円柱形接続端の上向きの運動をブロックし、第２側板の第２凸胞が内向きに円柱形接続端を押圧し、これにより円柱形接続端が強固に第２導電端子内に挟持され、これにより円柱形接続端と第２導電端子間の安定し、信頼できる電気的接続が実現される。
【考案を実施するための最良の形態】
【０００９】
図１及び図２に示されるように、本考案の携帯電話充電装置のコネクタ１００は、組合せ端１０１と接続端１０２を具え、そのうち、組合せ端１０１は一対のコネクタ（図示せず）と組み合わされ、充電電流を獲得する。接続端１０２は携帯電話充電装置内の第１導電端子と接続され、そのうち第１導電端子は前端に円柱形接続端３を具え（図５）、円柱形接続端３の後端は携帯電話（図示せず）と接続され、これにより携帯電話に対して充電を行う。携帯電話充電装置のコネクタ１００は絶縁ケース１、絶縁ケース１内部に収容された一対の第２導電端子２及び一対の保持部４を包含する。そのうち第２導電端子２は強固に第１導電端子の円柱形接続端３を保持し、これにより信頼できる電気的接続を達成し、保持部４は対応するコネクタに圧接する。
【００１０】
図１から図３に示されるように、絶縁ケース１の前端にはキャビティー１０があり、後端には一対の、縦向きに延伸され且つ後端が外界と連通する第１端子溝１１がある。そのうち、キャビティー１０の後壁のほぼ中部が前向きに延伸されて舌片１２が形成され、舌片１２の底部に一対の縦向きに延伸された第２端子溝１３があり、第２端子溝１３の前端は外界と連通し、後端は対応する第１端子溝１１と連通している。第１端子溝１１と第２端子溝１３は共同で縦向きに貫通する端子溝を形成し、第２導電端子２を収容する。キャビティー１０の上部には上向きに凹むように圧接溝１４が形成され、圧接溝１４は外界と連通している。
【００１１】
図４に示されるように、第２導電端子２は略Ｌ形を呈する基板２０を具えている。基板２０は横向き部２１と縦向き部２２を具え、基板２０の横向き部２１の末端が上向きに延伸されて第１側板２３１が形成され、第１側板２３１が基板内側に向けて折り曲げられて第２側板２３２が形成され、第１側板２３１と第２側板２３２が共同で略逆Ｖ形のフレキシブル挟持部２３を形成している。基板２０の縦向き部２２の前端中部が前向きに延伸されて接触端２４が形成され、基板２０の逆Ｖ形のフレキシブル挟持部２３の中線を中軸として後方に案内板２５が延伸形成されている。そのうち、基板２０とフレキシブル挟持部２３が絶縁ケース１の対応する第１端子溝１１内に収容され、接触端２４は絶縁ケース１の対応する第２端子溝１３内に収容される。フレキシブル挟持部２３の第１側板２３１と第２側板２３２の内側底端に断面が円弧形を呈し縦向きに延伸され且つサイズが同じ第１凸胞２３３と第２凸胞２３４がそれぞれ形成され、そのうち第１凸胞２３１の所在位置は第２凸胞２３４所在位置より高く、第２凸胞２３４は二つの平滑で相互に接続された第１円弧面２３５と第２円弧面２３６を具えている。案内板２５の両側の基板２０に接近する部分は上向きに延伸され並びに内向きに折り曲げられて断面が円弧形を呈するフレキシブルアーム２６が形成され、フレキシブルアーム２６と案内板２５が共同で略Ｏ形を呈し且つ上部が開口の案内管を形成する。
【００１２】
図１に示されるように、保持部４は水平板４１を具え、水平板の一側が下向きに延伸されて鉛直板４２が形成されている。そのうち、水平板４１の鉛直板４２に接近する部分に切削により下向きのサスペンションアーム式弾性片４３が形成され、鉛直板４２のほぼ中部に切削により切欠き４４が形成される。水平板４１のサスペンションアーム式弾性片４３は絶縁ケース１の圧接溝１４部分よりキャビティー１０内に進入し、対応するコネクタに圧接する。鉛直板４２の切欠き４４とキャビティー１０側壁が共同で係合溝を形成し、対応するコネクタに係合する。
【００１３】
図３、図５及び図６に示されるように、組立時に、第２導電端子２と保持部４がそれぞれ絶縁ケース１内に収容され、その後、第１導電端子の円柱形接続端３が水平に第２導電端子２のＯ形案内管に挿入され並びにＯ形案内管の案内により水平にフレキシブル挟持部２３に挿入される。このとき、円柱形接続端３がフレキシブル挟持部２３の第２凸胞２３４の第１円弧面２３５の後端下部に圧接し、並びに第１側板２３１の第１凸胞２３３の円弧面底部と接触する。前向きに円柱形接続端３を押動する時、第１凸胞２３３と第２凸胞２３４が円柱形接続端３をブロックしその上向き運動を防止し、円柱形接続端３は第１円弧面２３５上にあって漸次外向きに第２凸胞２３４を圧迫し、第２側板２３２を第１端子溝１１内で外向きにフレキシブル拡張させ、同時に第１円弧面２３５に沿って徐々に前向きにスライドし、円柱形接続端３が第２円弧面２３６に滑り込むと、第２側板２３２はフレキシブル拡張を形成し、これにより固定された内向きの押圧力を形成する。この時、第２側板２３２の外壁は第１端子溝１１の側壁１１０に圧接し、これにより第２導電端子２の挟持の効果が達成される。続いて前向きに円柱形接続端３を押動してその前端を第１端子溝１１の前壁（図示せず）に圧接させ、第２側板２３２の内向きの押圧力により第２凸胞２３４が内向きに円柱形接続端３が押圧され、これにより円柱形接続端３が強固にフレキシブル挟持部２３及び基板２０の間に挟持される。その後、案内管の二つのフレキシブルアーム２６の締めつけにより、円柱形接続端３が挟持及び固定され、これにより第１導電端子が強固に第２導電端子２内に接続され、これにより第２導電端子２と第１導電端子間の固定と信頼できる電気的接続が実現する。
【図面の簡単な説明】
【００１４】
【図１】本考案の携帯電話充電装置のコネクタの立体分解図である。
【図２】本考案の携帯電話充電装置の立体図である。
【図３】図１に示される絶縁ケースの立体図である。
【図４】図１に示される第２導電端子の立体図である。
【図５】本考案の円柱形接続端が第２導電端子内に挿入された立体図である。
【図６】本考案の円柱形接続端が第２導電端子内に挿入された別角度の立体図である。
【符号の説明】
【００１５】
１００  コネクタ                  １  絶縁ケース
１０  キャビティー                １０１  組合せ端
１０２  接触端                    １１  第１端子溝
１１０  側壁                      １２  舌片
１３  第２端子溝                  １４  圧接溝
２  第２導電端子                  ２０  基板
２１  横向き部                    ２２  縦向き部
２３  フレキシブル挟持部          ２３１  第１側板
２３２  第２側板                  ２３３  第１凸胞
２３４  第２凸胞                  ２３５  第１円弧面
２３６  第２円弧面                ２４  接触端
２５  案内板                      ２６  フレキシブルアーム
３  円柱形接続端                  ４  保持部
４１  水平板                      ４２  鉛直板
４３  サスペンションアーム式弾性片  ４４  切欠き
【図１】
0003114663.tif 000003
【図２】
0003114663.tif 000004
【図３】
0003114663.tif 000005
【図４】
0003114663.tif 000006
【図５】
0003114663.tif 000007
【図６】
0003114663.tif 000008